(57)【要約】【課題】  構成部材数が少なく、連結が容易にでき、融通性のある手摺等用継ぎ手を提供する。【解決手段】  一端部において垂直軸回りに相対回転自在に連結された２個の中央側継ぎ手部材と、２個の中央側継ぎ手部材を前記垂直軸において貫通され、一方の中央側継ぎ手部材に固着されて両中央側継ぎ手部材の分離を阻止する軸部材と、前記２個の中央側継ぎ手部材の他端部において一端部が水平軸回りに回転自在に連結され、他端部が手摺等に連結される２個の端部側継ぎ手部材とからなる。前記軸部材は２個の中央側継ぎ手部材に一方側から貫通され、その他端部に止めねじをねじ込む孔が形成されている。  継ぎ手を支柱に連結する場合は、軸部材の孔に支柱連結部材に貫通したねじをねじ込むだけで済み、他の構成部材の付加が不要である。【選択図】      図２
2005273325.tif 000002
【特許請求の範囲】
【請求項１】
一端部において垂直軸回りに相対回転自在に連結された２個の中央側継ぎ手部材と、２個の中央側継ぎ手部材を前記垂直軸において貫通され、一方の中央側継ぎ手部材に固着されて両中央側継ぎ手部材の分離を阻止する軸部材と、前記２個の中央側継ぎ手部材の他端部において一端部が水平軸回りに回転自在に連結され、他端部が手摺等に連結される２個の端部側継ぎ手部材とからなり、前記軸部材は前記２個の中央側継ぎ手部材に一方側から貫通され、その他端部に止めねじをねじ込む孔が形成されていることを特徴とする手摺等用継ぎ手。
【発明の詳細な説明】
【技術分野】
【０００１】
本発明は、手摺、その他の類似物同志を結合する継ぎ手に関する。
【背景技術】
【０００２】
通路に沿って設けられる手摺は、設置される現場の条件により、水平に真っ直ぐに設けられる場合、水平に曲げて設けられる場合、傾斜面に沿って上向き又は下向きに曲げて儲けらる場合などがあり、曲げ角度も大小様々である。これらのいずれの場合にも使用できるように、任意の角度に屈曲可能な構造を備えた手摺等用継ぎ手が、例えば、特許文献１及び特許文献２に開示されている。
【特許文献１】特許第３０８８６７６号公報
【特許文献２】特開２００２−１６７９３７号公報
【発明の開示】
【発明が解決しようとする課題】
【０００３】
しかし、特許文献１の継ぎ手は、手摺等の端部と連結可能な２つの連結部材と、両連結部材の間に一定の曲率を持って湾曲した軸心を有する円柱状に形成され、両側面を軸心と直交する非平行状の平面とした少なくとも３個の角度調整体とを、隣接する角度調整体の側面同士をそれぞれの中心位置において回動可能に連結してなり、各連結部材を最外側に位置する角度調整体の外側面の中心位置を軸心として回動可能に連結するようにしたものである。
従って、２つの連結部材と少なくとも３個の角度調整体とからなるので、構成部材数が多い、これらの構成部材の連結に手間が掛かる、角度調整体は正面形状が楔状であるため、手摺等の連結部分に湾曲形状が露見されて、両側の手摺等の連続感が得られないなどの問題がある。また、この文献の継ぎ手は、支柱に連結するための構造を備えていないので、手摺等を支柱で支持するには、継ぎ手と手摺等との連結部分から離れた位置に支柱を立設し、その支柱で手摺等を支持する必要があり、施工に手間が掛かる。
【０００４】
また、特許文献２の継ぎ手は、手摺等を任意の角度をもって連結することに加えて、支柱に連結することができるようにした手摺用継ぎ手であるが、手摺等の端部と連結可能な２つの手摺連結部材と、一定の曲率を持って湾曲した軸心を有する円柱状に形成され、両側面を軸心と直交する非平行状の平面とした２個の角度調整部材同士をそれぞれの中心位置において回動可能に連結してなる２個の角度調整体と、その２個の角度調整体の間にその軸心回りに回転自在に連結され、下部が支柱に水平軸回りに回動自在に連結される支柱連結部材とから構成されている。
従って、構成部材は、２つの手摺連結部材と２個の角度調整部材同士を連結してなる２個の角度調整体と支柱連結部材とであるので、部材数が非常に多く、それら相互の連結作業が容易でない。湾曲した軸心を有する円柱状に形成された２個の角度調整部材を連結してなる角度調整体を支柱連結部材の左右両側に連結しているため、特許文献１の継ぎ手と同様に、左右の手摺などの連結部分に手摺等の連結部分に湾曲形状が露見されて、両側の手摺等の連続感が得られないなどの問題がある。
【０００５】
さらに、特許文献１の継ぎ手は手摺連結部分を支柱に固定することができず、特許文献２の継ぎ手は、支柱に連結しない手摺連結部分には用いることができないので、融通性に欠けている。
【０００６】
本発明は、上記の点に鑑みてなされたものであり、その課題は、構成部材数が少なく、部材同士の連結が容易にでき、しかも、融通性のある、すなわち、手摺連結部分を支柱に固定する場合、支柱に連結しない場合のいずれにも使用できる手摺等用継ぎ手を提供することにある。
【課題を解決するための手段】
【０００７】
上記課題を解決するため本発明に係る継ぎ手は、一端部において垂直軸回りに相対回転自在に連結された２個の中央側継ぎ手部材と、２個の中央側継ぎ手部材を前記垂直軸において貫通され、一方の中央側継ぎ手部材に固着されて両中央側継ぎ手部材の分離を阻止する軸部材と、前記２個の中央側継ぎ手部材の他端部において一端部が水平軸回りに回転自在に連結され、他端部が手摺等に連結される２個の端部側継ぎ手部材とからなり、前記軸部材は前記２個の中央側継ぎ手部材に一方側から貫通され、その他端部に止めねじをねじ込む孔が形成されていることを特徴としている。
上記構成により、２個の中央側継ぎ手部材は、これに一方側から貫通された軸部材の他端部止めねじを固着することにより、分離不可能に連結される。そして、垂直軸回りに相対回転して任意の連結角度とすることができる。２個の端部側継ぎ手部材はそれぞれこれに隣接する中央側継ぎ手部材に対して水平軸回りに回転して任意の連結角度とすることができる。
【０００８】
この継ぎ手を支柱に連結しない態様で使用する場合は、軸部材の他端部の孔に止めねじをねど込むに止められる。この継ぎ手を支柱に連結する態様で使用する場合は、軸部材の他端部の孔には、支柱の上端部に取付けられる支柱連結部材に貫通した止めねじがねじ込まれる。
【発明の効果】
【０００９】
上記本発明によれば、継ぎ手は、２個の中央側継ぎ手部材と、これらを分離不能に保持する軸部材と、２個の端部側継ぎ手部材とからなるので、構成部材数の削減を図ることができ、これらの相互の連結構造も簡単であり、従って、生産コストの削減が可能である。また、中央の軸心を中心とする回転と、中央側継ぎ手部材と端部側継ぎ手部材との連結部における中央の軸心に垂直な両側の軸心を中心とする回転とで、左右の手摺等を水平面に沿って一直線状、任意の角度を持った屈曲状、及び／又は、任意の角度を持った傾斜状のいずれの態様でも連結することができる。
また、軸部材の軸部の孔に支柱連結部材に貫通したねじをねじ込むにより、継ぎ手を支柱に連結する態様でも、軸部の孔にねじをねじ込まずに、あるいは、ねじ込んでも、支柱に連結しない態様でも、使用することができ、融通性を有する。また、いずれの場合も、継ぎ手には全くを他の要素を付加する必要がないので、部材管理が容易である。
【発明を実施するための最良の形態】
【００１０】
本発明においては、２個の中央側継ぎ手部材の間にその一方側から他方側まで貫通されて、両中央側継ぎ手部材の分離を阻止するとともに、その他端部に止めねじをねじ込む孔が形成されている軸部材を備えた。そのねじ孔には、支柱連結部材に貫通した止めねじをねじ込むか、止めねじを支柱連結部材に貫通させずにねじ込むか、止めねじのねじ込みもしないことができる。
【実施例】
【００１１】
次に、本発明の実施例について図面に基づいて説明する。
図１は本発明に係る手摺等用継ぎ手の一使用態様における平面図、図２は支柱に連結されている状態における図１に対応する、要部を断面で示した正面図、図３は主として中央側継ぎ手部材及び軸部材の一部断面分解正面図、図４は図３の１個目の中央側継ぎ手部材の平面図、図５は図３の２個目の中央側継ぎ手部材の平面図、図６は図３の軸部材の平面図、図７は図３の支柱の連結部材の底面図、図８は本発明に係る手摺等用継ぎ手の他の使用態様における、要部を断面で示した正面図である。
【００１２】
本発明に係る手摺等用継ぎ手は、概略的には、２個の中央側継ぎ手部材１，２と、軸部材３と、端部側継ぎ手部材４，５とからなっている。
【００１３】
２個の中央側継ぎ手部材１，２は、いずれもブロック状に形成され、類似の形状を有する。すなわち、一方の中央側継ぎ手部材１は、中央に円板部１１を、一端部に半球部１２を、他端部に半球部１３を一体に有している。そして、半球部１２は円板部１１の中心線上に存在する平面１２ａを有し、半球部１３は円板部１１の中心線上に存在する平面１３ａを有するが、平面１２ａと平面１３ａは、その一方が他方から円板部１１ａの中心線回りに９０度回転された位置関係にある。また、半球部１２の平面１２ａには、これを直交する直線を中心とする円筒状の凸部１２ｂが形成され、その凸部の中心に半球部１２を貫通する孔１２ｃが形成されている。さらに、凸部１２ｂの端面には、凸部の中心線に関して対称の位置に、孔１２ｃの軸心と平行な中心線を有するねじ孔１２ｄが設けられている。また、半球部１３には、その平面１３ａに直交する方向に貫通するねじ貫通孔１３ｂが形成されている。
【００１４】
他方の中央側継ぎ手部材２は、中央に円板部２１を、一端部に環状部２２を、他端部に半球部２３を一体に有している。環状部２２は円板部２１のほぼ中央に突設され、その孔２２ａの内径は一方の中央側継ぎ手部材１の凸部１２ｂの外径とほぼ等しくされている。半球部２３は中央側継ぎ手部材１の半球部１３と同一形状を有する。そして、半球部２３は円板部１１ｂの中心線上に平面２３ａを有するが、その平面と環状部２２の孔２２ａの中心線とは、一方が他方から円板部２１の中心線回りに９０度回転された位置関係にある。また、半球部２３には、その平面２３ａに直交する方向に貫通するねじ貫通孔２３ｂが形成されている。
【００１５】
中央側継ぎ手部材２の環状部２２の孔２２ａには、中央側継ぎ手部材１の半球部１２の凸部１２ｂを嵌合して、環状部２２の孔２２ａと凸部１２ｂの孔１２ｃの共通の軸心回りに相対的に回転することができるようになっている。
【００１６】
軸部材３は、上部に中央側継ぎ手部材２の環状部２２の上端面の外周とほぼ等しい外径を有する固定部３１と、その固定部の底面中央から下方に延びる軸部３２とを有し、その軸部３２は、中央側継ぎ手部材１の半球部１２の孔１２ｃに挿通することができる。固定部３１には、中央側継ぎ手部材１の凸部１２ｂの孔１２ｄに対応する位置にねじ貫通孔３１ａが形成されている。また、軸部３２には、その先端に開口してこれに後述される止めねじＳ３をねじ込むことができる孔３２ａが形成されている。
【００１７】
上記構成により、中央側継ぎ手部材１の半球部１２の凸部１２ｂを中央側継ぎ手部材２の環状部２２の孔２２ａに回転自在に嵌合し、凸部１２ｂの孔１２ｄに軸部材３の軸部３２を挿通し、軸部材３の固定部３１のねじ貫通孔３１ａからねじＳ１を凸部１２ｂの孔１２ｄにねじ込むことにより、軸部材３が中央側継ぎ手部材１に固着されている。これにより、中央側継ぎ手部材１と中央側継ぎ手部材２は、環状部２２が凸部１２ｂから離脱不能な状態で、軸部材３の軸部３２の軸心を中心として回転自在に結合されている。
【００１８】
好ましい実施の形態においては、上記３つの部材１，２，３を結合した状態において、中央側継ぎ手部材１の半球部１２の湾曲面と、中央側継ぎ手部材２の環状部２２の外周面と、軸部材３の固定部３１の湾曲面との包絡面が球状になるように形成されている。これにより、２個の中央側継ぎ手部材１，２のなす角度をいかなる角度に変更しても、両中央側継ぎ手部材１，２の円板部１１，２１と環状部２２及び固定部３１との間の隙間が常に一定に保たれ、従って、角度調整作業の際に、指先などが挟まれて怪我をすることが防止される。
【００１９】
端部側継ぎ手部材４，５は、ともにブロック状に形成され、同一形状を有している。そして、一端部に半球部４１，５１を、他端部に円柱部４２，５２を有している。半球部４１，５１は中央側継ぎ手部材１，２の半球部１３，２３と同一形状を有して、それぞれ円柱部４２，５２の中心線上を通る平面４１ａ，５１ａを有しており、その平面に直交する方向に貫通する、又は、一端が閉塞された孔４１ｂ，５１ｂが設けられている。また、円柱部４２，５２は、その軸心に直交する端面４２ａ，５２ａを有し、各端面の中央に半球部４１，５１と反対方向に突出する手摺連結部材６，７が固着されている。
【００２０】
上記構成により、端部側継ぎ手部材４，５は、同じ要領により両中央側継ぎ手部材１，２に連結される。すなわち、中央側継ぎ手部材１の半球部１３の平面１３ａと端部側継ぎ手部材４の半球部４１の平面４１ａとを突き合わせるとともに、半球部の孔１３ｂに貫通したねじＳ２を，半球部４１の孔４１ｂにねじ込んで、中央側継ぎ手部材１と端部側継ぎ手部材４とをねじＳ２の軸心を中心として回転自在に連結してある。同様に、中央側継ぎ手部材２の半球部２３の平面２３ａと端部側継ぎ手部材５の半球部５１の平面５１ａとを突き合わせるとともに、半球部の孔２３ｂに貫通したねじＳ２を，半球部４１の孔４１ｂにねじ込んで、中央側継ぎ手部材１と端部側継ぎ手部材４とをねじＳ２の軸心を中心として回転自在に連結してある。
【００２１】
手摺連結部材６，７は、手摺１０１，１０２の中空部に挿入してその手摺連結部材６，７の側面から貫通されるねじ１０３，１０４をねじ込むことにより連結されるものであり、手摺１０１，１０２の断面形状に合致する大きさのものを選択して固着される。
【００２２】
ねじＳ２，Ｓ２の軸心と軸部材３の軸部３の軸心は、互いに他に対して直角である。こうして、この継ぎ手は、図１における左右の手摺１０１，１０２を、（ａ）軸部材３の軸部３２の軸心を直交する一直線に沿って、すなわち、水平な直線に沿って連結すること、（ｂ）軸部材３の軸部３２の軸心において一定の角度をもって交差する二つの水平直線に沿って連結すること、（ｃ）上記（ａ）又は（ｂ）において、同一方向又は異方向の傾角をもって連結すること、ができる。
【００２３】
図２は、この継ぎ手を支柱１０５に連結できるように構成した例を示している。すなわち、図２及び図３において、１０６は断面カップ状に形成された支柱連結部材であり、支柱１０５の中空部の上端部に嵌合し、ねじ１０７により固着されるものであるが、支柱連結部材１０６はその上端部にねじＳ３を貫通できる孔１０６ａが形成され、周壁に孔１０６ｂが設けられている。
こうして、支柱１０５に取付ける前に、支柱連結部材１０６の上端部にねじＳ３を貫通し、そのねじを継ぎ手の軸部材３の軸部３２の孔３２ａにねじ込んで軸部材３を支柱連結部材１０６に固定し、その後、支柱連結部材１０６を支柱１０５に嵌入し、支柱の側面からねじ１０７を孔１０６ｂにねじ込んで固着してある。
【００２４】
これに対して、この継ぎ手を支柱に連結しない場合は、図８に例示するように、継ぎ手の軸部材３の軸部３２の孔３２ａに，止めねじＳ３をねじ込む。この場合のねじＳ３はとくに必要ではなく、ねじ込めば孔３２ａの開口縁による怪我が防止され、また、孔３２ａに雨水が侵入して腐食が進むことが防止される。
【００２５】
上記実の形態において、中央側継ぎ手部材１，２の円板部１１，２１、端部側継ぎ手部材４，５の円柱部４２，５２は同じ直径を有し、中央側継ぎ手部材１，２の半球部１２、中央側継ぎ手部材２の環状部２２及び軸部３の固定部３１は円板部１１，２１の直径とほぼ等しい直径を有する球の外周面と相似の包絡面を形成し、中央側継ぎ手部材１の半球部１３と端部側継ぎ手部材４の半球部４１はそれらの平面１３ａ，４１ａとにおいて当接されて円柱部４２とほぼ同様の外観を有し、また、中央側継ぎ手部材２の半球部２３と端部側継ぎ手部材５の半球部５１はそれらの平面２３ａ，５１ａとにおいて当接されて円柱部４２とほぼ同様の外観、すなわち、手摺１０１，１０２と同一の外観を有することができるので、継ぎ手全体が、手摺と一体連続感を看者に与える。
【産業上の利用可能性】
【００２６】
以上には、本発明に係る継ぎ手を手摺の連結に適用した場合を説明したが、本発明は、一般に棒又は管からなる手摺と同様の左右の部材を連結する場合に広く適用することができる。
【図面の簡単な説明】
【００２７】
【図１】本発明に係る手摺等用継ぎ手の一使用態様における平面図。
【図２】支柱に連結されている状態における図１に対応する、要部を断面で示した正面図。
【図３】主として中央側継ぎ手部材及び軸部材の一部断面分解正面図。
【図４】図３の１個目の中央側継ぎ手部材の平面図。
【図５】図３の２個目の中央側継ぎ手部材の平面図。
【図６】図３の軸部材の平面図。
【図７】図３の支柱の連結部材の底面図。
【図８】本発明に係る手摺等用継ぎ手の他の使用態様における、要部を断面で示した正面図。
【符号の説明】
【００２８】
１，２      中央側継ぎ手部材
１１，２１  円板部
１２，１３，２３    半球部
１２ｃ      孔
２２        環状部
３          軸部材
３１        固定部
３２        軸部
３２ａ      孔
４，５      端部側継ぎ手部材
４１，５１  半球部
４２，５２  円柱部
【図１】
2005273325.tif 000003
【図２】
2005273325.tif 000004
【図３】
2005273325.tif 000005
【図４】
2005273325.tif 000006
【図５】
2005273325.tif 000007
【図６】
2005273325.tif 000008
【図７】
2005273325.tif 000009
【図８】
2005273325.tif 000010